(57)【要約】【課題】コストの上昇を招くことなく、また、多大な労力を必要とすることなく、記憶手段に記憶される情報の変質を防止して、交換時のメンテナンス性及び装置の安定性を向上させることのできる画像記録装置を提供する。【解決手段】元来から備えられているＲＡＭ３やＨＤＤ３２Ａ〜３２Ｆなどの記憶手段に、予め、各種情報を共有して記憶しておく。そして、それらの内、何れかが交換された際には、ＣＰＵ１（及びＳＣＳＩコントローラ３１Ａ、３１Ｂ）は、交換された新たな記憶手段を含む、少なくとも３つの記憶手段に記憶される情報を互いに比較して、その一致／不一致を判定することで、交換された新たな記憶手段を特定して、残る少なくとも２つの記憶手段の何れかに記憶される情報を用いて、交換された新たな記憶手段に記憶される情報を補完する処理を行うこととする。【選択図】      図１
2004181870.tif 000002
【特許請求の範囲】
【請求項１】
交換可能に構成され、各種情報を共通して記憶する複数の記憶手段を有する画像記録装置であって、
前記複数の記憶手段の何れかが交換された後、当該装置の電源が投入された場合に、交換された新たな記憶手段を含む、少なくとも３つの前記記憶手段に記憶される情報を互いに比較して、それらが一致するか否かを判定する比較判定手段と、
前記比較判定手段による判定結果に基づいて、前記少なくとも３つの記憶手段の中から、前記交換された新たな記憶手段を特定して、残る少なくとも２つの記憶手段の何れかに記憶される情報を用いて、前記交換された新たな記憶手段に記憶される情報を補完する情報補完手段と、を含むことを特徴とする画像記録装置。
【請求項２】
交換可能に構成され、各種情報を記憶する第１の記憶手段と、交換可能に構成され、前記第１の記憶手段に記憶される各種情報、及び、当該装置において出力される画像データを記憶する複数の第２の記憶手段とを有する画像記録装置であって、
前記第１の記憶手段、若しくは、前記複数の第２の記憶手段の何れかが交換された後、当該装置の電源が投入された場合に、交換された新たな記憶手段を含む、前記第１の記憶手段と少なくとも２つの前記第２の記憶手段に記憶される情報を互いに比較して、それらが一致するか否かを判定する比較判定手段と、
前記比較判定手段による判定結果に基づいて、前記第１の記憶手段と少なくとも２つの前記第２の記憶手段の中から、交換された新たな記憶手段を特定して、前記第１の記憶手段が交換されていた場合に、残る少なくとも２つの前記第２の記憶手段の何れかに記憶される情報を用いて、交換された新たな第１の記憶手段に記憶される情報を補完する情報補完手段と、を含むことを特徴とする画像記録装置。
【請求項３】
各種情報を設定するための操作手段と、
前記操作手段により設定された各種情報を前記第１の記憶手段及び前記複数の第２の記憶手段の各々に記憶する情報記憶処理手段と、を更に備えたことを特徴とする請求項２に記載の画像記録装置。
【請求項４】
交換可能に構成され、各種情報を記憶する少なくとも３つの第２の記憶手段を有する画像記録装置であって、
前記少なくとも３つの第２の記憶手段の何れかが交換された後、当該装置の電源が投入された場合に、交換された新たな第２の記憶手段を含む、少なくとも３つの前記第２の記憶手段に記憶される情報を互いに比較して、それらが一致するか否かを判定する比較判定手段と、
前記比較判定手段による判定結果に基づいて、前記少なくとも３つの第２の記憶手段の中から、交換された新たな第２の記憶手段を特定して、残る少なくとも２つの前記第２の記憶手段の何れかに記憶される情報を用いて、交換された新たな第２の記憶手段に記憶される情報を補完する情報補完手段と、を含むことを特徴とする画像記録装置。
【請求項５】
外部装置から画像データを受信する受信手段と、
前記受信手段により受信された画像データを前記少なくとも３つの第２の記憶手段の各々に記憶する画像データ記憶処理手段と、を更に備えたことを特徴とする請求項４に記載の画像記録装置。
【請求項６】
前記情報補完手段は、前記比較判定手段による判定結果において、不一致とされた記憶手段の組み合わせの中から、共通する記憶手段を、交換された新たな記憶手段として特定することを特徴とする請求項１乃至請求項５の何れか一項に記載の画像記録装置。
【請求項７】
前記第１の記憶手段は、当該装置の各種設定情報を記憶する不揮発性メモリであることを特徴とする請求項２乃至請求項６の何れか一項に記載の画像記録装置。
【請求項８】
前記第２の記憶手段は、当該装置により出力される画像データを一時的に記憶するハードディスクドライブであることを特徴とする請求項２乃至請求項６の何れか一項に記載の画像記録装置。
【請求項９】
前記画像記録装置は、カラープルーフ作成装置であることを特徴とする請求項１乃至請求項８の何れか一項に記載の画像記録装置。
【発明の詳細な説明】
【０００１】
【発明の属する技術分野】
本発明は、複数の記憶媒体を備える画像記録装置に関し、より詳しくは、複数の記憶媒体の何れかが交換された場合に、残る記憶媒体に記憶される情報を用いて、交換された新たな記憶媒体の情報を自動的に更新する画像記録装置に関するものである。
【０００２】
【従来の技術】
一般に、画像記録装置においては、各種設定情報を記憶する不揮発性メモリや、当該装置において出力する画像データを一時的に記憶するＨＤＤ（Ｈａｒｄ  Ｄｉｓｋ  Ｄｒｉｖｅ）等の記憶手段が備えられており、これらの記憶媒体を交換する際には、メンテナンス担当者が、交換された新たな記録媒体に対して、再度、各種設定情報を記憶させたり、予め他の記憶手段に保管しておいたバックアップ情報を入力したりすることで、交換前の記憶手段に記憶されていた情報を復元（以下、補完と称する）する作業が行われていた。
【０００３】
しかしながら、このような作業は、多大な労力を必要し、また、記憶手段の交換作業に要する時間よりもはるかに多くの時間を必要し、さらには、誤操作により、誤った設定が成されたり、誤った情報が入力されたりするなどの問題があった。
【０００４】
そこで、このような問題を解決するべく、従来の画像記録装置の中には、記憶手段の交換を行う際に、その記憶手段に記憶されている情報を、一旦、他の装置の記憶手段に格納しておき、記憶手段の交換が行われた後に、交換された新たな記憶手段に、他の装置の記憶媒体に格納しておいた情報を書き込むといった補完処理をメンテナンス担当者によることなく自動的に行うものが存在している（例えば、特許文献１参照）。
【０００５】
【特許文献１】
特開２００１−２８５５４１号公報
（段落〔００４９〕‐〔００６１〕、第１２図乃至第２０図）
【０００６】
【発明が解決しようとする課題】
しかしながら、このような場合であっても、交換される記録媒体に記憶されている情報を一時的に保管するための新たな記憶手段を設ける必要があるため、システム構成や回路構成が複雑化する他、コストの上昇が招かれるなどといった問題が生じることになる。
【０００７】
また、このような問題を抱える一方で、例えばカラープルーフ作成装置などの画像記録装置においては、当該装置において出力される各色に色分解された画像データを一時的に格納する複数のＨＤＤ等の記憶手段が備えられているが、これらの記憶手段は、各々、十分な容量が確保されているため、実際には、画像データを格納する以外の残る多大な部分が使用されていない非効率的な現状がある。
【０００８】
本発明は、上記事情に鑑みてなされたものであり、その目的とするところは、元来から備えられている複数の記憶手段に、予め、各種情報を共有して記憶しておき、記憶手段の何れかが交換された場合には、残る記憶手段に記憶される情報を用いて、交換された新たな記憶手段に記憶される情報を補完する処理を自動的に行うことで、コストの上昇を招くことなく、また、多大な労力を必要とすることなく、記憶手段に記憶される情報の変質を防止して、交換時のメンテナンス性及び装置の安定性を向上させることのできる画像記録装置を提供することにある。
【０００９】
【課題を解決するための手段】
上記課題を解決するために、請求項１記載の発明は、交換可能に構成され、各種情報を共通して記憶する複数の記憶手段を有する画像記録装置であって、前記複数の記憶手段の何れかが交換された後、当該装置の電源が投入された場合に、交換された新たな記憶手段を含む、少なくとも３つの前記記憶手段に記憶される情報を互いに比較して、それらが一致するか否かを判定する比較判定手段と、前記比較判定手段による判定結果に基づいて、前記少なくとも３つの記憶手段の中から、前記交換された新たな記憶手段を特定して、残る少なくとも２つの記憶手段の何れかに記憶される情報を用いて、前記交換された新たな記憶手段に記憶される情報を補完する情報補完手段と、を含むことを特徴とする。
【００１０】
上記課題を解決するために、請求項２記載の発明は、交換可能に構成され、各種情報を記憶する第１の記憶手段と、交換可能に構成され、前記第１の記憶手段に記憶される各種情報、及び、当該装置において出力される画像データを記憶する複数の第２の記憶手段とを有する画像記録装置であって、前記第１の記憶手段、若しくは、前記複数の第２の記憶手段の何れかが交換された後、当該装置の電源が投入された場合に、交換された新たな記憶手段を含む、前記第１の記憶手段と少なくとも２つの前記第２の記憶手段に記憶される情報を互いに比較して、それらが一致するか否かを判定する比較判定手段と、前記比較判定手段による判定結果に基づいて、前記第１の記憶手段と少なくとも２つの前記第２の記憶手段の中から、交換された新たな記憶手段を特定して、前記第１の記憶手段が交換されていた場合に、残る少なくとも２つの前記第２の記憶手段の何れかに記憶される情報を用いて、交換された新たな第１の記憶手段に記憶される情報を補完する情報補完手段と、を含むことを特徴とする。
【００１１】
また、請求項３記載の発明は、請求項２に記載の画像記録装置であって、各種情報を設定するための操作手段と、前記操作手段により設定された各種情報を前記第１の記憶手段及び前記複数の第２の記憶手段の各々に記憶する情報記憶処理手段と、を更に備えたことを特徴とする。
【００１２】
上記課題を解決するために、請求項４記載の発明は、交換可能に構成され、各種情報を記憶する少なくとも３つの第２の記憶手段を有する画像記録装置であって、前記少なくとも３つの第２の記憶手段の何れかが交換された後、当該装置の電源が投入された場合に、交換された新たな第２の記憶手段を含む、少なくとも３つの前記第２の記憶手段に記憶される情報を互いに比較して、それらが一致するか否かを判定する比較判定手段と、前記比較判定手段による判定結果に基づいて、前記少なくとも３つの第２の記憶手段の中から、交換された新たな第２の記憶手段を特定して、残る少なくとも２つの前記第２の記憶手段の何れかに記憶される情報を用いて、交換された新たな第２の記憶手段に記憶される情報を補完する情報補完手段と、を含むことを特徴とする。
【００１３】
また、請求項５記載の発明は、請求項４に記載の画像記録装置であって、外部装置から画像データを受信する受信手段と、前記受信手段により受信された画像データを前記少なくとも３つの第２の記憶手段の各々に記憶する画像データ記憶処理手段と、を更に備えたことを特徴とする。
【００１４】
また、請求項６記載の発明は、請求項１乃至請求項５の何れか一項に記載の画像記録装置であって、前記情報補完手段は、前記比較判定手段による判定結果において、不一致とされた記憶手段の組み合わせの中から、共通する記憶手段を、交換された新たな記憶手段として特定することを特徴とする。
【００１５】
また、請求項７記載の発明は、請求項２乃至請求項６の何れか一項に記載の画像記録装置であって、前記第１の記憶手段は、当該装置の各種設定情報を記憶する不揮発性メモリであることを特徴とする。
【００１６】
また、請求項８記載の発明は、請求項２乃至請求項６の何れか一項に記載の画像記録装置であって、前記第２の記憶手段は、当該装置により出力される画像データを一時的に記憶するハードディスクドライブであることを特徴とする。
【００１７】
また、請求項９記載の発明は、請求項１乃至請求項８の何れか一項に記載の画像記録装置であって、前記画像記録装置は、カラープルーフ作成装置であることを特徴とする。
【００１８】
【発明の実施の形態】
以下、本発明に係る画像記録装置の好適な実施の形態の一例について、図面を参照して具体的に説明する。尚、本例においては、画像記録装置として、カラープルーフ作成装置（以下、ＤＣＰ作成装置）を例に採り説明を行う。当該カラープルーフ作成装置は、元来より、各色に分解された画像データを各々格納するための複数のＨＤＤを備えるものであり、また、回転移動を伴う回転ドラムに吸引保持された感光材料に対して、複数の光源から各々異なる波長の光を照射して、主走査方向に露光光源幅で露光を行いつつ、複数の露光光源を副走査方向に移動させることで、結果として、感光材料上に１枚の画像を記録するというものである。
【００１９】
［カラープルーフ作成装置の概略構成及び動作］
まず、当該カラープルーフ作成装置の概略構成、及び画像入出力処理について説明する。
【００２０】
図１に、当該カラープルーフ作成装置の制御構成を表すブロック図を示す。図１に示すように、当該カラープルーフ作成装置は、主に、図示省略の画像処理装置から基本色（例えば、Ｙ（イエロー）、Ｍ（マゼンタ）、Ｃ（シアン）、Ｋ（ブラック））及び特色毎に色分解された１枚分の画像データを受信して、これを一時的に保存する入力バッファブロック１０と、この入力バッファブロック１０に保存された画像データを面順次から点順次に変換する面順次／点順次ブロック２０と、この面順次／点順次ブロック２０において、点順次に変換された画像データを各色毎に保存する画像バッファブロック３０と、この画像バッファブロック３０から各色毎に対応する画像データを読出し、これを保存すると共に、１つ手前に保存しておいた各色の画像データを、順次、転送する出力段ＦＩＦＯ（Ｆｉｒｓｔ  Ｉｎ  Ｆｉｒｓｔ  Ｏｕｔ）ブロック４０と、この出力段ＦＩＦＯブロック４０から転送された各色の画像データに関して、その色濃度を当該装置の各色光源の露光量に変換するＬＵＴブロック５０と、このＬＵＴブロック５０において変換された当該装置の各色光源の露光量に従って、当該装置の各色光源を駆動させるドライバブロック６０と、を含み構成されており、各ブロックに関する詳細構成について、以下に記載するようになっている。
【００２１】
（入力バッファブロック）
入力バッファブロック１０の入力バッファ１１Ａ、１１Ｂは、図示省略の画像処理装置から基本色（例えば、Ｙ、Ｍ、Ｃ、Ｋ）及び特色毎に色分解された網点画像データを受信して、これを一時的に保存する。より詳細には、図示省略の画像処理装置から送信される網点画像データは、主走査方向に連続したデータであり、入力バッファ１１Ａ、１１Ｂは、アドレス制御回路５によるアドレス指示の下、この主走査方向に連続したデータを副走査方向に複数ライン分だけ保存する。保存された画像データは、複数ライン分まとめて転送され、面順次／点順次変換ブロック２０のシフトレジスタ２１Ａ、２１Ｂに保存される。因みに、入力バッファ１１Ａ、１１Ｂは、図示省略の画像処理装置から網点画像データが送信された場合に、これを複数ライン分ずつ交互に受信して、切替器６Ａによる切り替え処理の下、その画像データを、順次、面順次／点順次変換ブロック２０のシフトレジスタ２１Ａ、２１Ｂへと転送する、所謂、ピンポン構成となっている。
【００２２】
（面順次／点順次変換ブロック）
入力バッファ１１Ａ、１１Ｂから転送された画像データは、面順次／点順次変換ブロック２０のシフトレジスタ２１Ａ、２１Ｂ上において、縦横の配置変換、具体的には、主走査方向に連続したデータから副走査方向に画像バッファのバス幅だけ連続したデータ（主走査方向は、１ｂｉｔ）へと変換される。変換された後の画像データは、さらに、ＦＩＦＯメモリ７を介して画像バッファブロック３０のＳＣＳＩ（Ｓｍａｌｌ  Ｃｏｍｐｕｔｅｒ  Ｓｙｓｔｅｍ  Ｉｎｔｅｒｆａｃｅ）コントローラ３１Ａ、３１Ｂへと転送される。因みに、シフトレジスタ２１Ａ、２１Ｂは、切替器６Ｂを介して画像データを交互に保存し、転送する、所謂、ピンポン構成となっている。
【００２３】
（画像バッファブロック）
画像バッファブロック３０のＳＣＳＩコントローラ３１Ａ、３１Ｂは、転送された画像データを、各基本色（例えば、Ｙ、Ｍ、Ｃ、Ｋ）及び特色（特色１、特色２）毎に、例えば３つのＨＤＤ３２Ａ〜３２Ｃ、３２Ｄ〜３２Ｆに一時的に保存して、さらに、その画像データを、切替器６Ｃを介して、順次、出力段ＦＩＦＯブロック４０のＦＩＦＯメモリ４１Ａ〜４１Ｆへ転送する。因みに、ＳＣＳＩコントローラ３１Ａ、３１Ｂ及びこれらに付随するＨＤＤ３２Ａ〜３２Ｃ、３２Ｄ〜３２Ｆは、画像データを交互に保存し、転送する、所謂、ピンポン構成となっている。尚、ＨＤＤ３２Ａ〜３２Ｆは、本発明の「第２の記憶手段」を構成する。
【００２４】
（出力段ＦＩＦＯブロック）
出力段ＦＩＦＯブロック４０のＦＩＦＯメモリ４１Ａ〜４１Ｆは、転送された画像データを各基本色（例えば、Ｙ、Ｍ、Ｃ、Ｋ）及び特色（特色１、特色２）毎に一時的に保存して、さらに、１つ手前で保存していた各画像データをＬＵＴブロック５０のＲＡＭ５１へと転送する。このような処理は、出力トリガ調整器８によるタイミング調整の下、画像バッファブロック３０のＳＣＳＩコントローラ３１Ａ、３１Ｂから画像データが転送され、また、ＬＵＴブロック５０のＲＡＭ５１へ画像データが転送される毎に行われる。
【００２５】
（ＬＵＴブロック）
ＬＵＴブロック５０のＲＡＭ５１には、各基本色（例えば、Ｙ、Ｍ、Ｃ、Ｋ）及び特色（特色１、特色２）の画像データを構成する基本色であるＹ、Ｍ、Ｃ、Ｋの濃度を、当該装置の露光光源の各色であるＲ（レッド）、Ｇ（グリーン）、Ｂ（ブルー）の露光量、即ち、光量値に変換するＬＵＴ（Ｌｏｏｋ  Ｕｐ  Ｔａｂｌｅ）が記憶されており、ＣＰＵ１は、このＬＵＴを参照して、出力段ＦＩＦＯブロック４０のＦＩＦＯメモリ４１Ａ〜４１Ｆから転送された画像データを構成する各基本色であるＹ、Ｍ、Ｃ、Ｋの濃度を、当該装置の露光光源の各色であるＲ（レッド）、Ｇ（グリーン）、Ｂ（ブルー）の露光量、即ち、光量値に変換する処理を行う。
【００２６】
（ドライバブロック）
ドライバブロック６０の各ＬＤ／ＬＥＤドライバ６Ａ〜６Ｆは、ＬＵＴブロック５０のＲＡＭ５１において変換された当該装置の露光光源の各色の光量値に従って、各色露光光源、具体的には、ＬＤ（レーザーダイオード）若しくはＬＥＤ（発光ダイオード）を駆動させる。これらは、要求される仕様等に応じて、適宜選択されれば良い。
【００２７】
この際、図示省略の回転モータにより回転移動される回転ドラムに吸引保持された感光材料に対して、当該装置の複数の露光光源から各々異なる波長の各色（例えば、Ｒ、Ｇ、Ｂ）の光を照射して、主走査方向に露光光源幅で露光を行いつつ、図示省略の副走査方向移動モータにより、複数の露光光源を副走査方向に移動させることで、結果として、感光材料上に１枚の画像が記録される。
【００２８】
尚、以上に説明した当該装置における一連の画像入出力処理は、ＲＯＭ２、ＲＡＭ３及び外部の設定値記録基板４に記憶された各種処理プログラム及び各種設定情報に基づくＣＰＵ１の制御の下で行われるものである。
【００２９】
より詳細には、ＲＯＭ２には、各種制御プログラム、各種Ｉ／Ｏ設定値等が記憶されており、また、ＲＡＭ３及び外部の設定値記録基板４には、例えば、入力バッファブロック１０における入力バッファ１１Ａ、１１Ｂに保存される画像データのサイズに関する設定情報、及び、図示省略のＰＬＬ回路における逓倍数に関する設定情報、画像バッファブロック３０におけるＨＤＤ３２Ａ〜３２Ｆに保存される画像データのアドレス、セクタ、及び、延べセクタ数に関する設定情報、さらには、当該装置の複数の露光光源を副走査方向に移動させる副走査方向移動モータの移動速度に関する設定情報等が記憶されており、ＣＰＵ１は、ＲＯＭ２、ＲＡＭ３及び外部の設定値記録基板４に記憶される、これらの制御プログラム及び設定情報に従って、各ブロックの制御処理を行う。因みに、本例においては、ＲＡＭ３は、主として、外部の設定値記録基板４に記憶される各種設定情報をバックアップしておく手段として用いられるものであり、これらは共通して同様の各種設定情報を記憶するものとする。また、ＲＡＭ３及び外部の設定値記録基板４に記憶される各種設定情報は、ユーザが操作パネル９を用いて、入力したり、変更したりすることができるものとする。尚、ＲＡＭ３は、本発明の「第１の記憶手段」を構成する。また、操作パネル９は、本発明の「操作手段」を構成する。
【００３０】
さらに、ＲＡＭ３にバックアップされる、外部の設定値記録基板４に記憶される各種設定情報は、ＨＤＤ３２Ａ〜３２Ｆにおいても同様にバックアップされることとする。因みに、このバックアップを行うタイミングは、ＣＰＵ１が、ＲＡＭ３に外部の設定値記録基板４に記憶される各種設定情報をバックアップするタイミング、若しくは、ユーザが操作パネル９を用いて、ＲＡＭ３及び外部の設定値記録基板４に記憶される各種設定情報を入力したり、変更したりするタイミングと同時であり、このバックアップは、ＣＰＵ１による指示の下、ＳＣＳＩコントローラ３１Ａ、３１Ｂが行うこととする。尚、このように、ＲＡＭ３にバックアップされる各種設定情報を、ＨＤＤ３２Ａ〜３２Ｆにおいても同様にバックアップする処理を行うべくＲＯＭ２に記憶される制御プログラム、及び、その制御プログラムを実行するＣＰＵ１、並びに、ＳＣＳＩコントローラ３１Ａ、３１Ｂで、本発明の「情報記憶処理手段」を構成する。
【００３１】
また、当該カラープルーフ作成装置においては、以上に説明した画像入出力処理の事前準備として、当該装置により出力される画像の大きさ、歪み、色合い等の確認を行うためのテストパターンやテスト画像を出力するテスト画像入出力処理が行われることが通常であり、このような処理は、当該装置のＲＯＭ２、ＲＡＭ３及び外部の設定値記録基板４に記憶された各種処理プログラム及び各種設定情報に基づくＣＰＵ１の制御の下、ＨＤＤ３２Ａ〜３２Ｆ（何れか所定のＨＤＤ）に予め保存されたテストパターン、テスト画像を出力することで行われることとする。
【００３２】
因みに、ＨＤＤ３２Ａ〜３２Ｆ（何れか所定のＨＤＤ）に保存されるテストパターン、テスト画像は、図示省略の画像処理装置から画像データとして送信されて、入力バッファ１１Ａ、１１Ｂに保存された後、上述した画像入出力処理を経て、ＨＤＤ３２Ａ〜３２Ｆ（何れか所定のＨＤＤ）に保存される場合と、ＲＡＭ３に記憶される基本パターンを入力バッファ１１Ａ、若しくは、入力バッファ１１Ｂ上に展開することで作成されて、ＨＤＤ３２Ａ〜３２Ｆ（何れか所定のＨＤＤ）に保存される場合とがある。尚、当該装置においては、その他、残りのＨＤＤ３２Ａ〜３２Ｆにおいてもバックアップデータとして、共通のテストパターン、テスト画像が保存されることとする。このバックアップを行うタイミングは、ＨＤＤ３２Ａ〜３２Ｆ（何れか所定のＨＤＤ）にテストパターン、テスト画像が保存されるタイミングと同時であり、このバックアップは、ＣＰＵ１による指示の下、ＳＣＳＩコントローラ３１Ａ、３１Ｂが行うこととする。ＣＰＵ１は、このようにして、予めＨＤＤ３２Ａ〜３２Ｆの何れか所定のＨＤＤに保存されたテストパターン、テスト画像を読み出す指示をＳＣＳＩコントローラ３１Ａ、若しくは、ＳＣＳＩコントローラ３１Ｂに与えることで、上述した画像出力処理を経て、テストパターン、テスト画像を出力する。尚、このように、図示省略の画像処理装置から画像データ（テスト画像）を受信する処理を行うべくＲＯＭ２に記憶される制御プログラム、及び、その制御プログラムを実行するＣＰＵ１、並びに、入力バッファ１１Ａ、１１Ｂで、本発明の「受信手段」を構成する。また、このように、画像データ（テストパターン、テスト画像）をＨＤＤ３２Ａ〜３２Ｆの各々においてバックアップする処理を行うべくＲＯＭ２に記憶される制御プログラム、及び、その制御プログラムを実行するＣＰＵ１、並びに、ＳＣＳＩコントローラ３１Ａ、３１Ｂで本発明の「画像データ記憶処理手段」を構成する。
【００３３】
［記憶手段の情報更新処理］
以下、当該カラープルーフ作成装置において行われる、本発明の特徴部分である、交換された新たな記憶手段に対する情報の更新処理（以下、比較判定処理とも称する）について説明する。
【００３４】
ところで、当該装置において、各種情報を記憶する記憶手段の内、交換が行われることが考えられるのは、外部の設定値記録基板４、並びに、ＨＤＤ３１Ａ〜３１Ｆとなっている。これらの記憶手段は、当該装置に関する各種設定情報、画像データを記憶しているため、その交換が成された場合には、交換された新たな記憶手段に対して、それら各種設定情報、画像データを復元する処理を行う必要が生じる。また一方で、このような記憶手段の交換作業は、通常、当該装置の電源を遮断した上で行われることになる。そこで、当該装置においては、このような記憶手段の交換作業が終了して、当該装置の電源が投入された際に、その交換された新たな記憶手段に対して、交換前の記憶手段に記憶されていた各種設定情報、画像データを復元する処理、即ち、比較判定処理を行うこととする。
【００３５】
図２に当該装置の電源投入から電源遮断までの一連の概略処理の流れを表すフローチャートを示す。図２に示すように、例えば、外部の設定値記録基板４、又は、ＨＤＤ３１Ａ〜３１Ｆの何れかの交換作業が行われ、終了した後に、当該装置の電源が投入された際には、ＣＰＵ１は、これを検知して、まず当該装置のセンサー入力負荷に関するＩ／Ｏ（Ｉｎｐｕｔ／Ｏｕｔｐｕｔ）値を初期化する処理を行う（Ｓ０１）。このセンサー入力負荷を初期化する処理の具体例としては、当該装置の露光光源の副走査方向に関する位置を検出する各センサーの検出値等を初期化する処理等を挙げることができる。次に、ＣＰＵ１は、画像バッファブロック３０の画像バッファ３２Ａ〜３２Ｆを初期化する処理、具体的には、ＳＣＳＩコントローラ３１Ａ、３１Ｂにおける各種設定情報を初期化して、さらに、ＨＤＤ３２Ａ〜３２Ｃ、３２Ｄ〜３２ＦのＩＤを認識する処理を行う（Ｓ０２）。此処に言う、ＨＤＤ３２Ａ〜３２Ｃ、３２Ｄ〜３２ＦのＩＤを認識する処理とは、より詳細には、ＨＤＤ３２Ａ〜３２Ｃ、３２Ｄ〜３２Ｆの何れが当該装置に取り付けられているのかを検出する処理のことである。さらに、ＣＰＵ１は、外部の設定値記録基板４から通信手段、具体的には、ＲＳ２３２Ｃケーブル等を介して、各種設定情報を読込み、それらの各種設定情報をＲＡＭ３に記憶（バックアップ）する処理を行う（Ｓ０３）。このような処理を行った上で、さらに、ＣＰＵ１は、本発明の特徴部分であるＲＡＭ３、並びに、ＨＤＤ３２Ａ〜３２Ｃ、３２Ｄ〜３２Ｆに保存される各種設定情報、画像データに関する比較判定処理を行う（Ｓ０４）。
【００３６】
ここで、このＲＡＭ３、並びに、ＨＤＤ３２Ａ〜３２Ｃ、３２Ｄ〜３２Ｆに保存される各種設定情報、画像データに関する比較判定処理について、図３に示すフローチャートを参照しつつ説明する。
【００３７】
ＣＰＵ１は、まず、ＨＤＤ３２Ａ〜３２Ｆを、順次、比較することで、各々に記憶される各種画像データの一致／不一致の判定を行う。さらに、ＲＡＭ３とＨＤＤ３２Ａ〜３２Ｆに記憶される各種設定情報を、順次、比較することで、各々に記憶される各種設定情報の一致／不一致の判定を行う。より詳細には、ＣＰＵ１は、ＨＤＤ３２Ａ〜３２Ｆに記憶される各種画像データの比較を行っていく際に、連続して２回不一致と判定されたケースが１つだけ存在した場合には、その２回の比較において共通するＨＤＤが交換されたものであると判断して、比較を行った他のＨＤＤに記憶される各種画像データを用いて、交換されたＨＤＤに対する画像データの補完を行う。また、それ以外の場合には、いずれのＨＤＤも初期状態である、又は、バラバラの情報を記憶していると判断して、交換されたＨＤＤに対する画像データの補完は行わずに、ＲＡＭ３とＨＤＤ３２Ａ〜３２Ｆに記憶される各種設定情報を比較する処理に移行する。ＣＰＵ１は、さらに、交換されたと判断されるＨＤＤを除いた、他のＨＤＤとＲＡＭ３に記憶される各種設定情報とを比較して、これらが不一致であった場合には、比較したＨＤＤに記憶される各種設定情報を用いて、ＲＡＭ３に記憶される各種設定情報の補完を行う。ところで、ＨＤＤ３２Ａ〜３２Ｆの比較を行っていく際に、そのＩＤの認識ができないＨＤＤについては、ＣＰＵ１は、これを当該装置に取り付けられていないものと判断して、比較を行う対象とはせず、次のＨＤＤとの比較に移行するものとする。尚、以上に説明した比較判定処理の詳細については、後述することとする。
【００３８】
尚、前述したように、ＲＡＭ３には、外部の設定値記録基板４に記憶される各種設定情報がバックアップされており、これらは、常に共通した同様の各種設定情報を記憶していると共に、ＲＡＭ３に記憶される外部の設定値記録基板４に記憶される各種設定情報は、ＨＤＤ３２Ａ〜３２Ｆにもバックアップされている。また、ＨＤＤ３２Ａ〜３２Ｆは、何れか所定のＨＤＤに保存されるテストパターン、テスト画像を共通して記憶している。その上で、ＣＰＵ１は、これらの記憶手段に記憶される、各種設定情報、画像データに関して、その一致／不一致の判定を行い、必要に応じて、その情報を補完する処理を行う。
【００３９】
以下、当該装置の比較判定処理について説明するにあたり、ＨＤＤ３２Ａ〜３２Ｆを、各々、以下のように定義する。
ＳＣＳＩコントローラ３１Ａに付随する画像バッファである
Ｙ／Ｍ用ＨＤＤ３２Ａは、ＨＤＤ（Ｎｏ．１）と定義する。
Ｃ／Ｋ用ＨＤＤ３２Ｂは、ＨＤＤ（Ｎｏ．２）と定義する。
特色用ＨＤＤ３２Ｃは、ＨＤＤ（Ｎｏ．３）と定義する。
同様に、ＳＣＳＩコントローラ３１Ｂに付随する画像バッファである
Ｙ／Ｍ用ＨＤＤ３２Ｄは、ＨＤＤ（Ｎｏ．４）と定義する。
Ｃ／Ｋ用ＨＤＤ３２Ｅは、ＨＤＤ（Ｎｏ．５）と定義する。
特色用ＨＤＤ３２Ｆは、ＨＤＤ（Ｎｏ．６）と定義する。
【００４０】
また、前述した画像データ（テストパターン、テスト画像）を保存する所定のＨＤＤとして、Ｙ／Ｍ用ＨＤＤ３２Ａ、即ち、ＨＤＤ（１）を設定することとする。
【００４１】
図３に示すフローチャートの説明に戻って、まず、当該装置の比較判定処理に関するプログラム処理を実行させる上で、初期設定として、
Ａ（比較対象となる第１のＨＤＤのＮｏ．）＝０
Ｂ（比較対象となる第２のＨＤＤのＮｏ．）＝０
ｎ＝０
エンド判定＝０とする。尚、これら初期設定に関する情報は、予めＲＯＭ２に記憶される。
【００４２】
（ＨＤＤに保存されるデータの判定）
ＣＰＵ１は、１回目の判定として、ｎ＝ｎ＋１＝０＋１＝１と設定し（Ｓ１０）、プログラム処理を開始する。そして、まずｎが、ｎ≦６を満たすか否かを判断する（Ｓ１１）。当然、１回目の判定においてはｎ＝１であり、ｎ≦６となるため、これを満たし（Ｓ１１、Ｙｅｓ）、ＣＰＵ１は、次に、ＨＤＤ（１）が使用可能、即ち、ＨＤＤ（１）が当該装置に取り付けられているか否かを判断する（Ｓ１２）。ここで、取り付けられていた場合には（Ｓ１２、Ｙｅｓ）、次に、Ａ（比較対象となるＨＤＤのＮｏ．）＝０であるか否かを判断する（Ｓ１３）。当然、１回目の判定においては、Ａ＝０であるため（Ｓ１３、Ｙｅｓ）、ｎ＝１をＡの値として設定する（Ｓ１４）。
【００４３】
因みに、Ｓ１２において、ＨＤＤ（１）が当該装置に取り付けられていなかった場合には（Ｓ１２、Ｎｏ）、次のＨＤＤ（２）との比較、即ち、２回目の判定を行うべく、Ｓ１０へと移行する。
【００４４】
さらに、ＣＰＵ１は、２回目の判定として、ｎ＝ｎ＋１＝１＋１＝２と設定し（Ｓ１０）、プログラム処理を継続する。そして、ｎがｎ≦６を満たすか否かを判断する（Ｓ１１）。当然、２回目の判定においては、ｎ＝２であり、ｎ≦６となるため、これを満たし（Ｓ１１、Ｙｅｓ）、ＣＰＵ１は、次に、ＨＤＤ（２）が使用可能、即ち、ＨＤＤ（２）が当該装置に取り付けられているか否かを判断する（Ｓ１２）。ここで、取り付けられていた場合には（Ｓ１２、Ｙｅｓ）、次に、Ａ（比較対象となる第１のＨＤＤのＮｏ．）＝０であるか否かを判断する（Ｓ１３）。当然、２回目の判定においては、Ａ＝１であるため（Ｓ１３、Ｎｏ）、Ｓ１５へと移行し、ＣＰＵ１は、さらに、Ｂ（比較対象となる第２のＨＤＤのＮｏ．）＝０であるか否かを判断する（Ｓ１５）。当然、１回目の判定においては、Ｂ＝０であるため（Ｓ１５、Ｙｅｓ）、ＣＰＵ１は、ｎの値、即ち、２をＢの値として設定する（Ｓ１６）。その上で、ＨＤＤ（Ａ＝１）と、ＨＤＤ（Ｂ＝２）に記憶される画像データ（テストパターン、テスト画像）を比較する（Ｓ１９）。ここで、一致した場合には、ＣＰＵ１は、その判定結果（一致）をＲＡＭ３に保存する（Ｓ２０）。また、不一致であった場合には、その判定結果（不一致）をＲＡＭ３に保存する（Ｓ２１）。
【００４５】
ＣＰＵ１は、さらに、ここでエンド判定がＯＮとなっているか否かを判断する（Ｓ２２）。当然、１回目の判定においては、エンド判定＝ＯＦＦであるため（Ｓ２２、Ｎｏ）、Ｓ１０へと移行する。
【００４６】
さらに、ＣＰＵ１は、３回目の判定として、ｎ＝ｎ＋１＝２＋１＝３と設定し（Ｓ１０）、プログラム処理を継続する。そして、ｎがｎ≦６を満たすか否かを判断する（Ｓ１１）。当然、３回目の判定においては、ｎ＝３であり、ｎ≦６となるため、これを満たし（Ｓ１１、Ｙｅｓ）、ＣＰＵ１は、次に、ＨＤＤ（３）が使用可能、即ち、ＨＤＤ（３）が、当該装置に取り付けられているか否かを判断する（Ｓ１２）。ここで、取り付けられていた場合には（Ｓ１２、Ｙｅｓ）、ＣＰＵ１は、次に、Ａ（比較対象となる第１のＨＤＤのＮｏ．）＝０であるか否かを判断する（Ｓ１３）。当然、３回目の判定においては、Ａ＝１であるため（Ｓ１３、Ｎｏ）、Ｓ１５へと移行し、ＣＰＵ１は、さらにＢ（比較対象となる第２のＨＤＤのＮｏ．）＝０であるか否かを判断する（Ｓ１５）。当然、２回目の判定においては、Ｂ＝２であるため（Ｓ１５、Ｎｏ）、ＣＰＵ１は、Ｂの値、即ち、２をＡの値として設定する（Ｓ１６）。さらに、ｎの値、即ち、３をＢの値として設定する。その上で、ＨＤＤ（Ａ＝２）と、ＨＤＤ（Ｂ＝３）に記憶される画像データ（テストパターン、テスト画像）の比較を行う（Ｓ１９）。ここで、それらが一致した場合には、ＣＰＵ１は、その判定結果（一致）をＲＡＭ３に保存する（Ｓ２０）。また、不一致であった場合には、その判定結果（不一致）をＲＡＭ３に保存する（Ｓ２１）。
【００４７】
ＣＰＵ１は、さらに、ここでエンド判定がＯＮとなっているか否かを判断する（Ｓ２２）。当然、２回目の判定においては、エンド判定＝ＯＦＦであるため（Ｓ２２、Ｎｏ）、Ｓ１０へと移行する。
【００４８】
以上に説明した処理は、以降、ｎ＝６となるまで同様に繰り返される。即ち、以降、ＨＤＤ（Ａ＝３）とＨＤＤ（Ｂ＝４）、ＨＤＤ（Ａ＝４）とＨＤＤ（Ｂ＝５）、ＨＤＤ（Ａ＝５）とＨＤＤ（Ｂ＝６）に記憶される画像データ（テストパターン、テスト画像）との比較が、順次、行われる。
【００４９】
そして、ＣＰＵ１は、７回目の判定において、ｎ＝ｎ＋１＝６＋１＝７と設定し（Ｓ１０）、プログラム処理を継続する。そして、ｎがｎ≦６を満たすか否かを判断する（Ｓ１１）。当然、７回目の判定においては、ｎ＝７であり、ｎ≧６となるため（Ｓ１１、Ｎｏ）、ＣＰＵ１は、ｎをｎ＝１と設定し（Ｓ２３）、さらに、エンド判定をＯＮに設定する（Ｓ２４）。そして、ＨＤＤ（１）が使用可能、即ち、ＨＤＤ（１）が当該装置に取り付けられているか否かを判断する（Ｓ１２）。ここで、取り付けられていた場合には（Ｓ１２、Ｙｅｓ）、ＣＰＵ１は、次に、Ａ（比較対象となる第１のＨＤＤのＮｏ．）＝０であるか否かを判断する（Ｓ１３）。当然、７回目の判定においては、Ａ＝５であるため（Ｓ１３、Ｎｏ）、Ｓ１５へと移行し、ＣＰＵ１は、さらにＢ（比較対象となる第２のＨＤＤのＮｏ．）＝０であるか否かを判断する（Ｓ１５）。当然、７回目の判定においては、Ｂ＝６であるため（Ｓ１５、Ｎｏ）、ＣＰＵ１は、Ｂの値、即ち、６をＡの値として設定する（Ｓ１６）。さらに、ｎの値、即ち、１をＢの値として設定する。その上で、ＣＰＵ１は、ＨＤＤ（Ａ＝６）と、ＨＤＤ（Ｂ＝１）に記憶される画像データ（テストパターン、テスト画像）との比較を行う（Ｓ１９）。ここで、それらが一致した場合には、ＣＰＵ１は、その判定結果（一致）をＲＡＭ３に保存する（Ｓ２０）。また、不一致であった場合には、その判定結果（不一致）をＲＡＭ３に保存する（Ｓ２１）。
【００５０】
ＣＰＵ１は、さらに、ここでエンド判定がＯＮとなっているか否かを判断する（Ｓ２２）。当然、７回目の判定においては、エンド判定＝ＯＮであるため（Ｓ２２、Ｙｅｓ）、Ｓ２５へと移行する。以上をもって、ＨＤＤ（１）〜ＨＤＤ（６）に記憶される画像データ（テストパターン、テスト画像）に関する比較は終了する。尚、このように、交換されたＨＤＤを含む、ＨＤＤ（１）〜ＨＤＤ（６）に記憶される画像データ（テストパターン、テスト画像）を順次比較する処理を行うべくＲＯＭ２に記憶される制御プログラム、及び、その制御プログラムを実行するＣＰＵ１で本発明の「比較判定手段」を構成する。
【００５１】
ＣＰＵ１は、さらに、ここで一連の判定結果において、連続して２回不一致と判定されたケースが幾つ存在しているかを判断する（Ｓ２５）。
【００５２】
（判定例：その１）
ところで、ここで、ＨＤＤ（１）のみが交換されたＨＤＤであった場合には、図４に示すように、当然、ＨＤＤ（１）とＨＤＤ（２）との比較結果は不一致となり、また、ＨＤＤ（６）とＨＤＤ（１）との比較結果は不一致となる。すると、連続して２回不一致と判定されたケースは、１回のみとなる（但し、この際、最後の判定は、最初の判定に連続しているとみなす）（Ｓ２５、Ｙｅｓ）。このような場合、ＣＰＵ１は、該当する２回の判定において、非共通番号のＨＤＤ、即ち、ＨＤＤ（２）、若しくは、ＨＤＤ（６）に記憶される画像データ（テストパターン、テスト画像）を用いて、共通番号のＨＤＤ、即ち、ＨＤＤ（１）に記憶される画像データ（テストパターン、テスト画像）を補完する処理を行う（Ｓ２６）。より詳細には、ＣＰＵ１がＳＣＳＩコントローラ３１Ａ、３１Ｂへ指示を出し、ＳＣＳＩコントローラ３１Ａ、３１ＢがＨＤＤ（１）に記憶される画像データ（テストパターン、テスト画像）を補完する処理を行う。そして、Ｓ２７へと移行する。尚、このように、非共通番号のＨＤＤに記憶される画像データ（テストパターン、テスト画像）を用いて、共通番号のＨＤＤに記憶される画像データ（テストパターン、テスト画像）を補完する処理を行うべくＲＯＭ２に記憶される制御プログラム、及び、その制御プログラムを実行するＣＰＵ１、並びに、ＳＣＳＩコントローラ３１Ａ、３１Ｂで本発明の「情報補完手段」を構成する。
【００５３】
（判定例：その２）
また、ここで、ＨＤＤ（１）〜ＨＤＤ（６）の全てが交換され、若しくは、初期状態、即ち、未だＨＤＤ（１）〜ＨＤＤ（６）の何れにも画像データ（テストパターン、テスト画像）が記憶されていない状態であった場合には、図５に示すように、当然、ＨＤＤ（１）とＨＤＤ（２）、・・・、ＨＤＤ（６）とＨＤＤ（１）との比較結果は一致となり、不一致の判定は、０回となる（但し、この際、最後の判定は、最初の判定に連続しているとみなす）（Ｓ２５、Ｎｏ）。このような場合、ＣＰＵ１は、ＨＤＤ（１）〜ＨＤＤ（２）に記憶される画像データ（テストパターン、テスト画像）を補完する処理は行わず、Ｓ２７へと移行する。このような場合には、メンテナンス担当者が初期状態であるこれらのＨＤＤに、初期設定として、各種画像データ（テストパターン、テスト画像）を入力する必要が生じるため、画像データ（テストパターン、テスト画像）を補完する処理は行わないこととする。
【００５４】
（判定例：その３）
また、ここで、ＨＤＤ（１）〜ＨＤＤ（６）の複数（２〜５個）が交換された状態であった場合、即ち、ＨＤＤ（１）〜ＨＤＤ（６）に記憶される画像データ（テストパターン、テスト画像）が各々バラバラの状態であった場合には、図６（ａ）、（ｂ）に示すように、当然、ＨＤＤ（１）とＨＤＤ（２）、・・・、ＨＤＤ（６）とＨＤＤ（１）との比較結果は、連続して２回不一致と判定されたケースが１回のみとはならない（Ｓ２５、Ｎｏ）。このような場合、ＣＰＵ１は、ＨＤＤ（１）〜ＨＤＤ（２）に記憶される画像データ（テストパターン、テスト画像）を補完する処理は行わず、Ｓ２７へと移行する。このような場合には、何れのＨＤＤに記憶される画像データ（テストパターン、テスト画像）が正規のものか判定することは不可能であるため、画像データ（テストパターン、テスト画像）を補完する処理は行わないこととする。
【００５５】
ところで、ＨＤＤ（１）〜ＨＤＤ（２）に記憶される画像データ（テストパターン、テスト画像）同士を比較して、その一致／不一致を判定するような場合には、個々の画像データの容量は大きいことから、多大な時間を要することになる。従って、このような場合には、画像データ（テストパターン、テスト画像）同士の比較は行わずに、予め、各々の画像データ（テストパターン、テスト画像）にタグ情報を付加しておくことで、そのタグ情報同士の比較を行うことで、それらが付加された画像データ（テストパターン、テスト画像）の一致／不一致を判定することが好ましい。
【００５６】
（ＲＡＭに記憶されるデータの判定）
図３に示すフローチャートの説明に戻って、ＣＰＵ１は、続いてＲＡＭに記憶される各種設定情報の判定を行うために、ここでｎをｎ＝１と設定した上で、ＲＡＭ３に保存される判定結果を参照することで、前述したＨＤＤ（ｎ＝１）と他のＨＤＤ（ＨＤＤ（２）、ＨＤＤ（６））との比較において、一致と判定された数が１以上であるか否かを判断する（Ｓ２７）。ここで、一致した数が１以上であった場合には（Ｓ２７、Ｙｅｓ）、ＨＤＤ（１）は、交換されたＨＤＤではなく正規の各種設定情報を記憶していたＨＤＤであると判断することができるため、ＣＰＵ１は、さらに、ここでＲＡＭ３に記憶される各種設定情報と、ＨＤＤ（１）に記憶される各種設定情報とが一致するか否かを判定する（Ｓ２８）。尚、このように、ＲＡＭ３に記憶される各種設定情報と、交換されていないと判断される（正規の各種設定情報を記憶している）ＨＤＤに記憶される各種設定情報を比較する処理を行うべくＲＯＭ２に記憶される制御プログラム、及び、その制御プログラムを実行するＣＰＵ１で本発明の「比較判定手段」を構成する。ここで、それらが一致した場合には、外部の設定記録基板４の交換は、行われていないと判断することができるので、ＣＰＵ１は、ＲＡＭ３に記憶される各種設定情報を補完する処理を行わずに比較判定処理を終了する。また、一致しなかった場合には、外部の設定記録基板４の交換は、行われていると判断することができるので、ＣＰＵ１は、ＨＤＤ（１）に記憶される各種設定情報を用いて、ＲＡＭ３に記憶される各種設定情報を補完する処理を行う（Ｓ２９）。若しくは、ＣＰＵ１がＳＣＳＩコントローラ３１Ａ、３１Ｂへ指示を出し、ＳＣＳＩコントローラ３１Ａ、３１ＢがＲＡＭ３に記憶される各種設定情報を補完する処理を行う。尚、このように、交換されていない（正規の各種設定情報を記憶している）ＨＤＤに記憶される各種設定情報を用いて、ＲＡＭ３に記憶される各種設定情報を補完する処理を行うべくＲＯＭ２に記憶される制御プログラム、及び、その制御プログラムを実行するＣＰＵ１、並びに、ＳＣＳＩコントローラ３１Ａ、３１Ｂで本発明の「情報補完手段」を構成する。
【００５７】
尚、Ｓ２７において、一致した数が１以下であった場合には（Ｓ２７、Ｎｏ）、ＨＤＤ（１）は、交換されたＨＤＤであることが判断することができるため、ＣＰＵ１は、ｎをｎ＋１＝１＋１＝２と設定して（Ｓ３０）、さらに、ｎがｎ≦６を満たすか否かを判断する（Ｓ３１）。当然、１回目の判定においてはｎ＝２であり、これを満たすため、Ｓ２７へと移行し、ＣＰＵ１は、ＨＤＤ（２）と他のＨＤＤ（ＨＤＤ（１）、ＨＤＤ（３））との比較結果において、一致であった数が１以上であるか否かを判定する（Ｓ２７）。
【００５８】
以降、上述した処理が繰り返し行われ、ＣＰＵ１は、交換されていないＨＤＤであると判断することができるＨＤＤに記憶される各種設定情報を用いて、ＲＡＭ３に記憶される各種設定情報を補完する処理を行う。
【００５９】
ここで、例えばＨＤＤ（１）〜ＨＤＤ（６）に記憶される各種設定情報が全てバラバラであるような場合には、当然、ＨＤＤ（１）とＨＤＤ（２）、・・・、ＨＤＤ（６）とＨＤＤ（１）との比較結果は不一致となり、Ｓ２７における一致の判定は、０回となる（Ｓ２７、Ｎｏ）。このような場合には、ｎがｎ＝７となるまで、Ｓ３０〜Ｓ３１〜Ｓ２７の処理が繰り返され、最終的には、Ｓ３１において、ｎ≧６となり（Ｓ３１、Ｎｏ）、ＣＰＵ１は、ＲＡＭ３に記憶される各種設定情報を補完する処理を行わずに比較判定処理を終了する。このような場合には、ＲＡＭ３に記憶される各種設定情報を補完する処理を行うことは不可能であると判断することができるので、ＣＰＵ１は、ＲＡＭ３に記憶される各種設定情報を補完する処理を行わずに比較判定処理を終了する。
【００６０】
図２に示すフローチャートの説明に戻って、以上に説明した比較判定処理が終了すると、当該装置においては、通常通りに画像データの入出力処理が開始される（Ｓ０５）。尚、この画像データの入出力処理の詳細については、［画像記録装置の概略構成］のところで説明した通りである。そして、このような一連の画像データの入出力処理を繰り返した後、その日の処理を終了するような場合には、当該装置の電源は遮断されることとなる。
【００６１】
以上に説明したように、本実施形態におけるカラープルーフ作成装置においては、当該装置に備えられる外部の設定値記録基板４、並びに、ＨＤＤ３２Ａ〜３２Ｃ、３２Ｄ〜３２Ｆの何れかが交換されて、再び、当該装置の電源が投入された際に、自動的に、外部の設定値記録基板４の各種設定情報をバックアップするＲＡＭ３に記憶される各種設定情報と、ＨＤＤ３２Ａ〜３２Ｆに記憶される各種設定情報との一致／不一致の比較が行われ、また、ＨＤＤ３２Ａ〜３２Ｆの各々に記憶される各種画像データの一致／不一致の比較が行われ、外部の設定値記録基板４の交換が行われたと判断された場合には、ＲＡＭ３に記憶される各種設定情報を、交換が行われていないと判断されたＨＤＤに記憶される各種設定情報を用いて補完する処理が行われ、また、交換が行われたと判断されたＨＤＤがある場合には、そのＨＤＤに記憶される各種画像データを、交換が行われていないと判断されたＨＤＤに記憶される各種画像データを用いて補完する処理が行われるので、メンテナンス担当者による各種データの復元作業、即ち、多大な労力を必要とすることなく、外部の設定値記録基板４、並びに、ＨＤＤ３２Ａ〜３２Ｃ、３２Ｄ〜３２Ｆに記憶される各種設定情報、画像データの変質が防止され、これをもって、当該装置のメンテナンス性及び安定性を向上することができる。また、このような補完処理は、当該カラープルーフ作成装置に、元来から備えられているＨＤＤ３２Ａ〜３２Ｆを利用して行われるものであるため、新たなバックアップ用の部品を必要とすることもなく、簡単な回路構成にて実現され、コストの上昇が招かれることもない。
【００６２】
尚、本実施形態においては、ＲＡＭ３に記憶される各種設定情報と、その各種設定情報をバックアップする６個のＨＤＤ（ＨＤＤ３２Ａ〜３２Ｆ）との間でデータの比較を行い、また、各種画像データを共通して記憶する６個のＨＤＤ（ＨＤＤ３２Ａ〜３２Ｆ）の間で、各々のデータの比較を行うこととしたが、比較を行う記憶手段の個数や、各々に記憶されるデータの内容は、これらに限定されるものではなく、例えば、記憶手段の個数にあっては、少なくとも３個以上の任意の数であれば良く、また、各々に記憶されるデータの内容は、情報の補完処理を必要とする他のデータであっても良い。
【００６３】
また、本実施形態においては、各種画像データを共通して記憶する６個のＨＤＤ（ＨＤＤ３２Ａ〜３２Ｆ）の間で、各々のデータの比較を行った後、ＲＡＭ３に記憶される各種設定情報と、その各種設定情報をバックアップする６個のＨＤＤ（ＨＤＤ３２Ａ〜３２Ｆ）との間でデータの比較を行うこととしたが、これらの比較は、連続して行われる必要はなく、例えば同時に並行して行われることとしても良い。また、何れか一方のみを行うこととしても良い。
【００６４】
【発明の効果】
以上に説明したように、本発明に係る画像記録装置によれば、元来から備えられている複数の記憶手段において、予め、各種情報が共有して記憶されており、記憶手段の何れかが交換された場合には、自動的に、残る記憶手段に記憶される情報を用いて、交換された新たな記憶手段に記憶される情報を補完する処理が行われるので、コストの上昇を招くことなく、また、多大な労力を必要とすることなく、記憶手段に記憶される情報の変質を防止して、交換時のメンテナンス性及び装置の安定性を向上させることができる。
【図面の簡単な説明】
【図１】本発明に係る画像記録装置としてのカラープルーフ作成装置の一実施形態における制御構成を表すブロック図である。
【図２】図１に示すカラープルーフ作成装置において行われる画像データの入出力処理の流れを説明するためのフローチャートである。
【図３】図１に示すカラープルーフ作成装置において行われる各種設定情報、画像データの比較判定処理の流れを説明するためのフローチャートである。
【図４】図１に示すカラープルーフ作成装置において、各ＨＤＤに記憶される画像データの比較判定が行われる過程を説明するための説明図である。
【図５】図５に示す、各ＨＤＤに記憶される画像データの比較判定が行われる過程の他例を表す説明図である。
【図６】図５に示す、各ＨＤＤに記憶される画像データの比較判定が行われる過程の他例を表す説明図である。
【符号の説明】
１  ＣＰＵ
２  ＲＯＭ
３  ＲＡＭ
４  外部設定値記録基板
５  アドレス制御回路
６Ａ〜６Ｃ  切替器
７  ＦＩＦＯメモリ
８  書き込みデータ長制御ブロック
８  出力トリガ調整器
１０  入力バッファブロック
１１Ａ、１１Ｂ  入力バッファ
２０  面順次／点順次変換ブロック
２１Ａ、２１Ｂ  シフトレジスタ
３０  画像バッファブロック
３１Ａ、３１Ｂ  ＳＣＳＩコントローラ
３２Ａ〜３２Ｆ  ＨＤＤ
４０  出力段ＦＩＦＯブロック
４１Ａ〜４１Ｆ  ＦＩＦＯメモリ
５０  ＬＵＴブロック
５１  ＲＡＭ
６０  ドライバブロック
６１Ａ〜６１Ｆ  ＬＤ／ＬＥＤドライバ
【図１】
2004181870.tif 000003
【図２】
2004181870.tif 000004
【図３】
2004181870.tif 000005
【図４】
2004181870.tif 000006
【図５】
2004181870.tif 000007
【図６】
2004181870.tif 000008